(57)【特許請求の範囲】
【請求項１】
マンホール蓋及び枠を含む道路のオーバーレイ工法であって、既存舗装路面を切削せずに表層部を補強補修する工法において、１）マンホール蓋及び枠の中心位置から測定した非施工個所の最寄の場所に、予め目印となる基準線及び基準点を設けて、オーバーレイ工事後、路面下に隠れたマンホール蓋及び枠の中心位置を該路面上に特定可能にマーキングしておく工程、２）マンホール蓋を外し、マンホール枠内側下部に吊り上げのための支持手段をセットする工程、３）マンホール蓋及び枠を含めた表面を剥離材にて被覆すると共に、剥離材表面も含めて路面表層部の補強となるオーバーレイ補修工程、４）先に目印となる場所にマーキングしておいた基準線及び基準点からマンホール蓋及び枠の中心位置をオーバーレイ工事後の路面上に割り出し、この割り出した位置に球面椀型カッターの芯出しジグを設置し、この球面椀型カッターを用いて所定の切断円直径で３６０度回転させてオーバーレイ工事後の表層部分も含めて平面円形、断面円弧状となる球面状に切込みを入れ、路盤を御椀型類似形状に切断すると共に、蓋の上の表層部分をはつり作業をして取り除く工程、５）マンホール蓋を外し、マンホール枠と下桝躯体とが締結されているか否かの確認後、両者を分離する工程、６）マンホール枠と共に御椀型類似形状の切断路盤を前記支持手段を介して吊り上げ撤去する工程、７）前記工程で撤去されて形成される御椀型類似形状の空洞部において、下桝躯体の上縁部所定位置に係合する高さ調整機能を有するアンカーボルトを配したマンホール枠を設置し、オーバーレイ工事後の路面に合せて高さ調整後、マンホール枠と下桝躯体の上縁部との隙間を塞ぐための内型枠を仮設し、内型枠の外周隙間部分、周囲の空洞部及び表層部分を舗装材で舗装施工し、施工終了後、前記内型枠を撤去して終了する工程から成ることを特徴とするオーバーレイ工法。
【請求項２】
マンホール蓋及び枠を含む道路の切削オーバーレイ工法であって、既存舗装路面の傷んだ表層部を切削した後の路面を補強補修する工法において、１）マンホール蓋及び枠の中心位置から測定した非施工個所の最寄の場所に、予め目印となる基準線及び基準点を設けて、オーバーレイ工事後、路面下に隠れたマンホール蓋及び枠の中心位置を該路面上に特定可能にマーキングしておく工程、２）マンホール蓋及び枠の中心位置に球面椀型カッターの芯出しジグを設置し、この球面椀型カッターを用いて所定の切断円直径で３６０度回転させてオーバーレイ工事後の表層部分も含めて平面円形、断面円弧状となる球面状に切込みを入れ、路盤を御椀型類似形状に切断する工程、３）マンホール蓋を外し、マンホール枠内側下部に吊り上げのための支持手段をセットし、マンホール枠と下桝躯体とが締結されているか否かの確認後、両者を分離する工程、４）マンホール枠と共に御椀型類似形状の切断路盤を前記支持手段を介して吊り上げ撤去する工程、５）前記工程で撤去されて形成される御椀型類似形状の空洞部において、下桝躯体の上方に離間して中心部に吊りボルト用雌ネジ部を有する中当て体を形成する養生板を切断後の球面状の壁部中間高さ位置且つ表層部分の深さ以下となる位置に嵌設して下桝躯体の上方を隙間を介して塞ぐように覆設し、その上に油紙等の剥離材を敷設して中当て体を形成する養生板の上面空処に舗装材を充填する工程、６）次いで、下桝躯体の上方路面も含めて所定工事範囲の表層部分を切削する工程、７）切削した後の路面を新舗装材を用いてオーバーレイ補修施工を実施する工程、８）先に目印となる場所にマーキングしておいた基準線及び基準点からマンホール枠の中心位置をオーバーレイ工事後の路面上に割り出し、この割り出した位置を中心に前回切断円と略同じ径で埋設状態の中当て体の深さ位置まで平面円形、断面円弧状となる球面状に切込みを入れ、且つその点を中心として吊りボルト挿入用の所定径の穴を穿ち、吊りボルトを穴の内部に挿入して中当て体の吊りボルト用雌ネジ部に係合螺着して吊り上げ、中当て体ごと切断路盤を引き抜き撤去する工程、９）下桝躯体の上縁部所定位置に係合する高さ調整機能を有するアンカーボルトを配したマンホール枠を設置し、オーバーレイ工事後の路面に合せて高さ調整後、マンホール枠と下桝躯体の上縁部との隙間を塞ぐための内型枠を仮設し、内型枠の外周隙間部分、周囲の空洞部及び表層部分を舗装材で舗装施工し、施工終了後、前記内型枠を撤去して終了する工程から成ることを特徴とする切削オーバーレイ工法。
【請求項３】
マンホール蓋及び枠を含む道路の切削オーバーレイ工法であって、既存舗装路面の傷んだ表層部を切削した後の路面を補強補修する工法において、１）マンホール蓋及び枠の中心位置から測定した非施工個所の最寄の場所に、予め目印となる基準線及び基準点を設けて、オーバーレイ工事後、路面下に隠れたマンホール蓋及び枠の中心位置を該路面上に特定可能にマーキングしておく工程、２）マンホール蓋及び枠の中心位置に球面椀型カッターの芯出しジグを設置し、この球面椀型カッターを用いて所定の切断円直径で３６０度回転させてオーバーレイ工事後の表層部分も含めて平面円形、断面円弧状となる球面状に切込みを入れ、路盤を御椀型類似形状に切断する工程、３）マンホール蓋を外し、マンホール枠内側下部に吊り上げのための支持手段をセットし、マンホール枠と下桝躯体とが締結されているか否かの確認後、両者を分離する工程、４）マンホール枠と共に御椀型類似形状の切断路盤を前記支持手段を介して吊り上げ撤去する工程、５）前記工程で撤去されて形成される御椀型類似形状の空洞部において、下桝躯体上縁部の開口を塞ぐ様に中心部に吊りボルト用雌ネジ部を有する養生板を覆設し、この養生板の表面に剥離材を施し、前記養生板の上面空処に舗装材を充填する工程、６）次いで、下桝躯体の上方路面も含めて所定工事範囲の表層部分を切削する工程、７）切削した後の路面を新舗装材を用いてオーバーレイ補修施工を実施する工程、８）先に目印となる場所にマーキングしておいた基準線及び基準点からマンホール枠の中心位置をオーバーレイ工事後の路面上に割り出し、この割り出した位置を中心に前回切断円と略同じ径で養生板外周深さ位置まで平面円形、断面円弧状となる球面状に切込みを入れ、且つその点を中心として吊りボルト挿入用の所定径の穴を穿ち、吊りボルトを穴の内部に挿入して養生板の吊りボルト用雌ネジ部に係合螺着して吊り上げ、前記養生板ごと切断路盤を引き抜き撤去する工程、９）下桝躯体の上縁部所定位置に係合する高さ調整機能を有するアンカーボルトを配したマンホール枠を設置し、オーバーレイ工事後の路面に合せて高さ調整後、マンホール枠と下桝躯体の上縁部との隙間を塞ぐための内型枠を仮設し、内型枠の外周隙間部分、周囲の空洞部及び表層部分を舗装材で舗装施工し、施工終了後、前記内型枠を撤去して終了する工程から成ることを特徴とする切削オーバーレイ工法。
【請求項４】
マンホール蓋及び枠の設置を伴う道路の舗装工法であって、未舗装路面または打換え路面に係る舗装工法において、１）下桝躯体の中心位置から測定した非施工個所の最寄の場所に、予め目印となる基準線及び基準点を設けて、舗装工事後、路面下に隠れた下桝躯体の中心位置を該路面上に特定可能にマーキングしておく工程、２）下桝躯体上縁部の開口を塞ぐ様に中心部に吊りボルト用雌ネジ部を有する養生板を覆設し、この養生板の表面に剥離材を施し、この表面も含めて所定工事範囲の道路を舗装材を用いて舗装施工する工程、３）先に目印となる場所にマーキングしておいた基準線及び基準点からマンホール枠の中心位置を新設舗装路面上に割り出し、この割り出した位置に球面椀型カッターの芯出しジグを設置し、所定の切断円直径で表層部分も含めて前記球面椀型カッターを用いて３６０度回転させて平面円形、断面円弧状となる球面状に切込みを入れ、御椀型類似形状の切断路盤とする工程、４）マンホール枠の中心点を中心とする吊りボルト挿入用の所定径の穴を穿ち、繰り抜いた穴に前記吊りボルトを挿入して養生板中央の雌ネジ部に係合螺着し、養生板ごと御椀型類似形状の切断路盤を引き抜き撤去する工程、５）下桝躯体の上縁部所定位置に係合する高さ調整機能を有するアンカーボルトを配したマンホール枠を設置し、舗装表面に合せて高さ調整後、マンホール枠と下桝躯体の上縁部との隙間を塞ぐための内型枠を仮設し、内型枠の外周隙間部分、周囲の空洞部及び表層部分を舗装材で舗装施工し、施工終了後、前記内型枠を撤去して終了する工程から成ることを特徴とする舗装工法。
【請求項５】
御椀型類似形状の切断路盤を撤去する工程に次いで、下桝躯体上縁開口部を塞ぐように落下防止具を仮設し、切断路盤を取り除いた後を清掃する工程を含むことを特徴とする請求項１記載のオーバーレイ工法。
【請求項６】
御椀型類似形状の切断路盤を撤去する工程に次いで、下桝躯体上縁開口部を塞ぐように落下防止具を仮設し、切断路盤を取り除いた後を清掃する工程を含むことを特徴とする請求項２または３記載の切削オーバーレイ工法。
【請求項７】
御椀型類似形状の切断路盤を撤去する工程に次いで、下桝躯体上縁開口部を塞ぐように落下防止具を仮設し、切断路盤を取り除いた後を清掃する工程を含むことを特徴とする請求項４記載の舗装工法。
【請求項８】
球面椀型カッターを用いて所定の切断円直径で表層部分も含めて平面円形、断面円弧状となる球面状に切込みを入れ、路盤を御椀型類似形状に切断する工程において、前記球面椀型カッターの刃先が所定の深さ位置まで達しなかった場合、球面状切断壁の最下端部より所定深さに位置する下桝躯体上縁部外周位置まで、はつり作業にて切削する切断工程を含むことを特徴とする請求項１記載のオーバーレイ工法。
【請求項９】
球面椀型カッターを用いて所定の切断円直径で表層部分も含めて平面円形、断面円弧状となる球面状に切込みを入れ、路盤を御椀型類似形状に切断する工程において、前記球面椀型カッターの刃先が所定の深さ位置まで達しなかった場合、球面状切断壁の最下端部より所定深さに位置する下桝躯体上縁部外周位置まで、はつり作業にて切削する切断工程を含むことを特徴とする請求項２または３記載の切削オーバーレイ工法。
【請求項１０】
球面椀型カッターを用いて所定の切断円直径で表層部分も含めて平面円形、断面円弧状となる球面状に切込みを入れ、路盤を御椀型類似形状に切断する工程において、前記球面椀型カッターの刃先が所定の深さ位置まで達しなかった場合、球面状切断壁の最下端部より所定深さに位置する下桝躯体上縁部外周位置まで、はつり作業にて切削する切断工程を含むことを特徴とする請求項４記載の舗装工法。
【請求項１１】
下桝躯体の上縁部所定位置に係合する高さ調整機能を有するアンカーボルトを配したマンホール枠を設置する工程において、その前段階として下桝躯体上に予め成形された所定寸法の環状を呈し、且つ所定個所にアンカーボルト孔を有する調整枠を１乃至２以上複数個重ねてからマンホール枠を取付けてマンホール蓋及び枠の高さを舗装表面に合せて調整する工程を含むことを特徴とする請求項１記載のオーバーレイ工法。
【請求項１２】
下桝躯体の上縁部所定位置に係合する高さ調整機能を有するアンカーボルトを配したマンホール枠を設置する工程において、その前段階として下桝躯体上に予め成形された所定寸法の環状を呈し、且つ所定個所にアンカーボルト孔を有する調整枠を１乃至２以上複数個重ねてからマンホール枠を取付けてマンホール蓋及び枠の高さを舗装表面に合せて調整する工程を含むことを特徴とする請求項２または３記載の切削オーバーレイ工法。
【請求項１３】
下桝躯体の上縁部所定位置に係合する高さ調整機能を有するアンカーボルトを配したマンホール枠を設置する工程において、その前段階として下桝躯体上に予め成形された所定寸法の環状を呈し、且つ所定個所にアンカーボルト孔を有する調整枠を１乃至２以上複数個重ねてからマンホール枠を取付けてマンホール蓋及び枠の高さを舗装表面に合せて調整する工程を含むことを特徴とする請求項４記載の舗装工法。
【請求項１４】
締結部材となるアンカーボルトを不要とするマンホール蓋及び枠の更新または修復等を含む道路の補修工事において、球面椀型カッターを用いて表層部分も含めて平面円形、断面円弧状となる球面状に切込みを入れ、路盤を御椀型類似形状に切断し、撤去する際、マンホール枠の高さを調整する調整枠の上面と接する接続部分となる前記マンホール枠の下面外周位置まで切込みを入れ、吊り上げのための支持手段の楔状先端尖頭部を前記マンホール枠の下面と前記調整枠の上面との間に介挿して御椀型類似形状の切断路盤を浮上させ切り離して前記支持手段を介して撤去する工程とし、前記オーバーレイ工法の路盤切断工程に代えて上記工程に置換したことを特徴とする請求項１記載のオーバーレイ工法。
【請求項１５】
締結部材となるアンカーボルトを不要とするマンホール蓋及び枠の更新または修復等を含む道路の補修工事において、球面椀型カッターを用いて表層部分も含めて平面円形、断面円弧状となる球面状に切込みを入れ、路盤を御椀型類似形状に切断し、撤去する際、マンホール枠の高さを調整する調整枠の上面と接する接続部分となる前記マンホール枠の下面外周位置まで切込みを入れ、吊り上げのための支持手段の楔状先端尖頭部を前記マンホール枠の下面と前記調整枠の上面との間に介挿して御椀型類似形状の切断路盤を浮上させ切り離して前記支持手段を介して撤去する工程とし、前記切削オーバーレイ工法の路盤切断工程に代えて上記工程に置換したことを特徴とする請求項２または３記載の切削オーバーレイ工法。
【発明の詳細な説明】
【技術分野】
【０００１】
本発明は、マンホール蓋及び枠を含む道路のオーバーレイ工法、切削オーバーレイ工法及び舗装工法に関する。
【背景技術】
【０００２】
交通量と経年月によって道路の舗装表面が荒れて凹凸を生じたり、タイヤ等の摩耗によって表層部が剥がれたり、亀裂が生じたり等の不具合な状況が発生すると、騒音や振動が助長且つ増幅され、事故発生の要因となる。
【０００３】
このため、状況に応じて舗装部分の補修等を実施する必要が生ずる。
【０００４】
１）傷んだ舗装路面を上から補強補修するオーバーレイ工法では、施工範囲内のマンホール枠を迂回することなく作業性よくオーバーレイ施工できる工法が開示されている（例えば、特許文献１参照。）。
【０００５】
また、２）傷んだ舗装の表層部分を切削して打換え補修する切削オーバーレイ工法では、施工範囲内のマンホール枠を外した状態で施工する工法が提示されている（例えば、特許文献２参照。）。
【０００６】
また、３）舗装工法としては、マンホール枠に阻害されずに極めて容易に作業性よく実施できると共にマンホール枠上面と舗装表面を容易に整合させることができる舗装の新設や既設舗装の打換えに関する工法が開示されている（例えば、特許文献３参照。）。
【０００７】
また更に、４）施工期間中における騒音の発生時間を可及的に短くでき、マンホール枠の高さ調整作業を極めて容易に行え、しかも、次の道路補修の際のマンホール枠周囲のはつり作業を容易に行えるマンホール枠のかさ高調整又は設置を含むオーバーレイ工法、切削オーバーレイ工法及び舗装工法が開示されている（例えば、特許文献４参照。）。
【特許文献１】特許第２６２３４９０号
【特許文献２】特許第２６２３４９１号
【特許文献３】特許第２６２３４９２号
【特許文献４】特開２００３−２７４１３号公報
【発明の開示】
【発明が解決しようとする課題】
【０００８】
然しながら上述の従来例において、１）、２）、３）の場合、マンホール枠周囲を筒状に切断して繰り抜く作業に際して、騒音の発生の問題と、更に切断壁が垂直または直線となるため、マンホール枠設置後において、車両重量の影響で、経時的にこのマンホール枠周囲の切断後に補修材を充填した路盤が沈下やずれを生じ易く、補修の二度手間作業を余儀なくされる場合が多く、更に切断範囲を狭めることが難しく、廃棄材料が多く、使用材料に無駄があり、経済的な点で問題がある。
【０００９】
また、４）の場合では、マンホール枠周囲を切断せずにリフター等で強制的にマンホール枠と周囲の路盤を剥ぎ取る様に引き抜き操作をする為、路盤の切断面が複雑に荒れた状態となり、新たなマンホール枠設置後の舗装材の充填作業がやりにくく、且つ接合面の密着性において問題を残す手法である。更にマンホール枠と周囲の路盤を剥ぎ取る様に引き抜いた後、道路をはつる際のハンドブレーカー等の騒音の問題も無視できず、また施工途中の清掃整理等に余分な手間が掛り、更に従来技術の１）、２）、３）の場合と同様に廃棄材料が多く、使用材料に無駄があり、経済的な点で問題がある。
【００１０】
本発明は、上述の状況に鑑みて成されたもので、マンホール蓋及び枠を含む道路の舗装施工に際し、騒音の極めて低い静音性の優れた球面椀型カッターを用いてマンホール蓋及び枠周囲の路盤を精度良く切断することができ、騒音及び振動問題をクリアし、且つ切断範囲を最小限に抑えて廃棄材料及び使用材料を削減出来、切断速度が速く、作業時間が短く、また施工後のマンホール周辺の地盤沈下の発生を防ぎ、二度手間作業を無くし、作業性の優れたオーバーレイ工法、切削オーバーレイ工法及び舗装工法を提供することを目的とする。
【課題を解決するための手段】
【００１１】
本発明は、下記構成を備えることにより上記課題を解決できるものである。
【００１２】
（１）マンホール蓋及び枠を含む道路のオーバーレイ工法であって、既存舗装路面を切削せずに表層部を補強補修する工法において、
１）マンホール蓋及び枠の中心位置から測定した非施工個所の最寄の場所に、予め目印となる基準線及び基準点を設けて、オーバーレイ工事後、路面下に隠れたマンホール蓋及び枠の中心位置を該路面上に特定可能にマーキングしておく工程、
２）マンホール蓋を外し、マンホール枠内側下部に吊り上げのための支持手段をセットする工程、
３）マンホール蓋及び枠を含めた表面を剥離材にて被覆すると共に、剥離材表面も含めて路面表層部の補強となるオーバーレイ補修工程、
４）先に目印となる場所にマーキングしておいた基準線及び基準点からマンホール蓋及び枠の中心位置をオーバーレイ工事後の路面上に割り出し、この割り出した位置に球面椀型カッターの芯出しジグを設置し、この球面椀型カッターを用いて所定の切断円直径で３６０度回転させてオーバーレイ工事後の表層部分も含めて平面円形、断面円弧状となる球面状に切込みを入れ、路盤を御椀型類似形状に切断すると共に、蓋の上の表層部分をはつり作業をしてはつり滓を取り除く工程、
５）マンホール蓋を外し、マンホール枠と下桝躯体とが締結されているか否かの確認後、両者を分離する工程、
６）マンホール枠と共に御椀型類似形状の切断路盤を前記支持手段を介して吊り上げ撤去する工程、
７）前記工程で撤去されて形成される御椀型類似形状の空洞部において、下桝躯体の上縁部所定位置に係合する高さ調整機能を有するアンカーボルトを配したマンホール枠を設置し、オーバーレイ工事後の路面に合せて高さ調整後、マンホール枠と下桝躯体の上縁部との隙間を塞ぐための内型枠を仮設し、内型枠の外周隙間部分、周囲の空洞部及び表層部分を舗装材で舗装施工し、施工終了後、前記内型枠を撤去して終了する工程から成るオーバーレイ工法。
【００１３】
（２）マンホール蓋及び枠を含む道路の切削オーバーレイ工法であって、既存舗装路面の傷んだ表層部を切削した後の路面を補強補修する工法において、
１）マンホール蓋及び枠の中心位置から測定した非施工個所の最寄の場所に、予め目印となる基準線及び基準点を設けて、オーバーレイ工事後、路面下に隠れたマンホール蓋及び枠の中心位置を該路面上に特定可能にマーキングしておく工程、
２）マンホール蓋及び枠の中心位置に球面椀型カッターの芯出しジグを設置し、この球面椀型カッターを用いて所定の切断円直径で３６０度回転させてオーバーレイ工事後の表層部分も含めて平面円形、断面円弧状となる球面状に切込みを入れ、路盤を御椀型類似形状に切断する工程、
３）マンホール蓋を外し、マンホール枠内側下部に吊り上げのための支持手段をセットし、マンホール枠と下桝躯体とが締結されているか否かの確認後、両者を分離する工程、
４）マンホール枠と共に御椀型類似形状の切断路盤を前記支持手段を介して吊り上げ撤去する工程、
５）前記工程で撤去されて形成される御椀型類似形状の空洞部において、下桝躯体の上方に離間して中心部に吊りボルト用雌ネジ部を有する中当て体を形成する養生板を切断後の球面状の壁部中間高さ位置且つ表層部分の深さ以下となる位置に嵌設して下桝躯体の上方を隙間を介して塞ぐように覆設し、その上に油紙等の剥離材を敷設して中当て体を形成する養生板の上面空処に舗装材を充填する工程、
６）次いで、下桝躯体の上方路面も含めて所定工事範囲の表層部分を切削する工程、
７）切削した後の路面を新舗装材を用いてオーバーレイ補修施工を実施する工程、
８）先に目印となる場所にマーキングしておいた基準線及び基準点からマンホール枠の中心位置をオーバーレイ工事後の路面上に割り出し、この割り出した位置を中心に前回切断円と略同じ径で埋設状態の中当て体の深さ位置まで平面円形、断面円弧状となる球面状に切込みを入れ、且つその点を中心として吊りボルト挿入用の所定径の穴を穿ち、吊りボルトを穴の内部に挿入して中当て体の吊りボルト用雌ネジ部に係合螺着して吊り上げ、中当て体ごと切断路盤を引き抜き撤去する工程、
９）下桝躯体の上縁部所定位置に係合する高さ調整機能を有するアンカーボルトを配したマンホール枠を設置し、オーバーレイ工事後の路面に合せて高さ調整後、マンホール枠と下桝躯体の上縁部との隙間を塞ぐための内型枠を仮設し、内型枠の外周隙間部分、周囲の空洞部及び表層部分を舗装材で舗装施工し、施工終了後、前記内型枠を撤去して終了する工程から成る切削オーバーレイ工法。
【００１４】
（３）マンホール蓋及び枠を含む道路の切削オーバーレイ工法であって、既存舗装路面の傷んだ表層部を切削した後の路面を補強補修する工法において、
１）マンホール蓋及び枠の中心位置から測定した非施工個所の最寄の場所に、予め目印となる基準線及び基準点を設けて、オーバーレイ工事後、路面下に隠れたマンホール蓋及び枠の中心位置を該路面上に特定可能にマーキングしておく工程、
２）マンホール蓋及び枠の中心位置に球面椀型カッターの芯出しジグを設置し、この球面椀型カッターを用いて所定の切断円直径で３６０度回転させてオーバーレイ工事後の表層部分も含めて平面円形、断面円弧状となる球面状に切込みを入れ、路盤を御椀型類似形状に切断する工程、
３）マンホール蓋を外し、マンホール枠内側下部に吊り上げのための支持手段をセットし、マンホール枠と下桝躯体とが締結されているか否かの確認後、両者を分離する工程、
４）マンホール枠と共に御椀型類似形状の切断路盤を前記支持手段を介して吊り上げ撤去する工程、
５）前記工程で撤去されて形成される御椀型類似形状の空洞部において、下桝躯体上縁部の開口を塞ぐ様に中心部に吊りボルト用雌ネジ部を有する養生板を覆設し、この養生板の表面に剥離材を施し、前記養生板の上面空処に舗装材を充填する工程、
６）次いで、下桝躯体の上方路面も含めて所定工事範囲の表層部分を切削する工程、
７）切削した後の路面を新舗装材を用いてオーバーレイ補修施工を実施する工程、
８）先に目印となる場所にマーキングしておいた基準線及び基準点からマンホール枠の中心位置をオーバーレイ工事後の路面上に割り出し、この割り出した位置を中心に前回切断円と略同じ径で養生板外周深さ位置まで平面円形、断面円弧状となる球面状に切込みを入れ、且つその点を中心として吊りボルト挿入用の所定径の穴を穿ち、吊りボルトを穴の内部に挿入して養生板の吊りボルト用雌ネジ部に係合螺着して吊り上げ、前記養生板ごと切断路盤を引き抜き撤去する工程、
９）下桝躯体の上縁部所定位置に係合する高さ調整機能を有するアンカーボルトを配したマンホール枠を設置し、オーバーレイ工事後の路面に合せて高さ調整後、マンホール枠と下桝躯体の上縁部との隙間を塞ぐための内型枠を仮設し、内型枠の外周隙間部分、周囲の空洞部及び表層部分を舗装材で舗装施工し、施工終了後、前記内型枠を撤去して終了する工程から成る切削オーバーレイ工法。
【００１５】
（４）マンホール蓋及び枠の設置を伴う道路の舗装工法であって、未舗装路面または打換え路面に係る舗装工法において、
１）下桝躯体の中心位置から測定した非施工個所の最寄の場所に、予め目印となる基準線及び基準点を設けて、舗装工事後、路面下に隠れた下桝躯体の中心位置を該路面上に特定可能にマーキングしておく工程、
２）下桝躯体上縁部の開口を塞ぐ様に中心部に吊りボルト用雌ネジ部を有する養生板を覆設し、この養生板の表面に剥離材を施し、この表面も含めて所定工事範囲の道路を舗装材を用いて舗装施工する工程、
３）先に目印となる場所にマーキングしておいた基準線及び基準点からマンホール枠の中心位置を新設舗装路面上に割り出し、この割り出した位置に球面椀型カッターの芯出しジグを設置し、所定の切断円直径で表層部分も含めて前記球面椀型カッターを用いて３６０度回転させて平面円形、断面円弧状となる球面状に切込みを入れ、御椀型類似形状の切断路盤とする工程、
４）マンホール枠の中心点を中心とする吊りボルト挿入用の所定径の穴を穿ち、繰り抜いた穴に前記吊りボルトを挿入して養生板中央の雌ネジ部に係合螺着し、養生板ごと御椀型類似形状の切断路盤を引き抜き撤去する工程、
５）下桝躯体の上縁部所定位置に係合する高さ調整機能を有するアンカーボルトを配したマンホール枠を設置し、舗装表面に合せて高さ調整後、マンホール枠と下桝躯体の上縁部との隙間を塞ぐための内型枠を仮設し、内型枠の外周隙間部分、周囲の空洞部及び表層部分を舗装材で舗装施工し、施工終了後、前記内型枠を撤去して終了する工程から成る舗装工法。
【００１６】
（５）御椀型類似形状の切断路盤を撤去する工程に次いで、下桝躯体上縁開口部を塞ぐように落下防止具を仮設し、切断路盤を取り除いた後を清掃する工程を含む前項（１）記載のオーバーレイ工法。
【００１７】
（６）御椀型類似形状の切断路盤を撤去する工程に次いで、下桝躯体上縁開口部を塞ぐように落下防止具を仮設し、切断路盤を取り除いた後を清掃する工程を含む前項（２）または（３）記載の切削オーバーレイ工法。
【００１８】
（７）御椀型類似形状の切断路盤を撤去する工程に次いで、下桝躯体上縁開口部を塞ぐように落下防止具を仮設し、切断路盤を取り除いた後を清掃する工程を含む前項（４）記載の舗装工法。
【００１９】
（８）球面椀型カッターを用いて所定の切断円直径で表層部分も含めて平面円形、断面円弧状となる球面状に切込みを入れ、路盤を御椀型類似形状に切断する工程において、前記球面椀型カッターの刃先が所定の深さ位置まで達しなかった場合、球面状切断壁の最下端部より所定深さに位置する下桝躯体上縁部外周位置まで、はつり作業にて切削する切断工程を含む前項（１）記載のオーバーレイ工法。
【００２０】
（９）球面椀型カッターを用いて所定の切断円直径で表層部分も含めて平面円形、断面円弧状となる球面状に切込みを入れ、路盤を御椀型類似形状に切断する工程において、前記球面椀型カッターの刃先が所定の深さ位置まで達しなかった場合、球面状切断壁の最下端部より所定深さに位置する下桝躯体上縁部外周位置まで、はつり作業にて切削する切断工程を含む前項（２）または（３）記載の切削オーバーレイ工法。
【００２１】
（１０）球面椀型カッターを用いて所定の切断円直径で表層部分も含めて平面円形、断面円弧状となる球面状に切込みを入れ、路盤を御椀型類似形状に切断する工程において、前記球面椀型カッターの刃先が所定の深さ位置まで達しなかった場合、球面状切断壁の最下端部より所定深さに位置する下桝躯体上縁部外周位置まで、はつり作業にて切削する切断工程を含む前項（４）記載の舗装工法。
【００２２】
（１１）下桝躯体の上縁部所定位置に係合する高さ調整機能を有するアンカーボルトを配したマンホール枠を設置する工程において、その前段階として下桝躯体上に予め成形された所定寸法の環状を呈し、且つ所定個所にアンカーボルト孔を有する調整枠を１乃至２以上複数個重ねてからマンホール枠を取付けてマンホール蓋及び枠の高さを舗装表面に合せて調整する工程を含む前項（１）記載のオーバーレイ工法。
【００２３】
（１２）下桝躯体の上縁部所定位置に係合する高さ調整機能を有するアンカーボルトを配したマンホール枠を設置する工程において、その前段階として下桝躯体上に予め成形された所定寸法の環状を呈し、且つ所定個所にアンカーボルト孔を有する調整枠を１乃至２以上複数個重ねてからマンホール枠を取付けてマンホール蓋及び枠の高さを舗装表面に合せて調整する工程を含む前項（２）または（３）記載の切削オーバーレイ工法。
【００２４】
（１３）下桝躯体の上縁部所定位置に係合する高さ調整機能を有するアンカーボルトを配したマンホール枠を設置する工程において、その前段階として下桝躯体上に予め成形された所定寸法の環状を呈し、且つ所定個所にアンカーボルト孔を有する調整枠を１乃至２以上複数個重ねてからマンホール枠を取付けてマンホール蓋及び枠の高さを舗装表面に合せて調整する工程を含む前項（４）記載の舗装工法。
【００２５】
（１４）締結部材となるアンカーボルトを不要とするマンホール蓋及び枠の更新または修復等を含む道路の補修工事において、球面椀型カッターを用いて表層部分も含めて平面円形、断面円弧状となる球面状に切込みを入れ、路盤を御椀型類似形状に切断し、撤去する際、マンホール枠の高さを調整する調整枠の上面と接する接続部分となる前記マンホール枠の下面外周位置まで切込みを入れ、吊り上げのための支持手段の楔状先端尖頭部を前記マンホール枠の下面と前記調整枠の上面との間に介挿して御椀型類似形状の切断路盤を浮上させ切り離して前記支持手段を介して撤去する工程とし、前記オーバーレイ工法の路盤切断工程に代えて上記工程に置換した前項（１）記載のオーバーレイ工法。
【００２６】
（１５）締結部材となるアンカーボルトを不要とするマンホール蓋及び枠の更新または修復等を含む道路の補修工事において、球面椀型カッターを用いて表層部分も含めて平面円形、断面円弧状となる球面状に切込みを入れ、路盤を御椀型類似形状に切断し、撤去する際、マンホール枠の高さを調整する調整枠の上面と接する接続部分となる前記マンホール枠の下面外周位置まで切込みを入れ、吊り上げのための支持手段の楔状先端尖頭部を前記マンホール枠の下面と前記調整枠の上面との間に介挿して御椀型類似形状の切断路盤を浮上させ切り離して前記支持手段を介して撤去する工程とし、前記切削オーバーレイ工法の路盤切断工程に代えて上記工程に置換した前項（２）または（３）記載の切削オーバーレイ工法。
【発明の効果】
【００２７】
マンホール蓋及び枠を含む道路の舗装施工に際し、騒音の極めて低い静音性の優れた球面椀型カッターを用いてマンホール蓋及び枠周囲の路盤を精度良く切断することができ、騒音及び振動問題をクリアし、且つ切断範囲を最小限に抑えて廃棄材料及び使用材料を削減出来、切断速度が速く、作業時間が短く、また施工後のマンホール周辺の地盤沈下の発生を防ぎ、二度手間作業を無くし、作業性の優れたオーバーレイ工法、切削オーバーレイ工法及び舗装工法を提供することが出来る。
【発明を実施するための最良の形態】
【００２８】
以下、本発明に係るオーバーレイ工法、切削オーバーレイ工法及び舗装工法の実施の形態について説明する。
【００２９】
図１は、実施例１における請求項１に相当するオーバーレイ工法の基本工程を示すフローチャート、図２は、実施例２における請求項２に相当する切削オーバーレイ工法の基本工程を示すフローチャート、図３は、実施例３における請求項４に相当する舗装工法の基本工程を示すフローチャート、図４は、マンホール枠の中心位置を特定する為のマーキング工程を示す平面図、図５（ａ）は、マンホール枠撤去用の支持手段をセットする工程を示す断面図、（ｂ）は、マンホール蓋及び枠の表面に剥離材を被覆し、その表面も含めた表層部分の補強、補修工程を示す断面図、図６は、マンホール蓋及び枠周囲の路盤を球面椀型カッターを用いて平面円形、断面円弧状の御椀型類似形状に切断する工程を示す図、（ａ）は、断面図、（ｂ）は、切断路盤の御椀型類似形状を示す斜視図、図７は、マンホール枠と共に切断路盤を支持手段を介して吊り上げ撤去する工程を示す断面図、図８は、下桝躯体上縁部に高さ調整機能を有するアンカーボルトを配したマンホール枠と内型枠を設置し、隙間、空洞部に路盤材を充填し、表層部分に表層材を施工する工程を示す断面図、（ａ）は、マンホール蓋を外し、マンホール枠と内型枠を設置した状態、（ｂ）は、内型枠外周部の隙間及び空洞部に路盤材を充填し、表層部分に表層材を施工した状態、（ｃ）は、施工後の養生期間経過後内型枠を取り外し完工した状態、図９は、既存道路において、マンホール蓋及び枠周囲の路盤を球面椀型カッターを用いて平面円形、断面円弧状の御椀型類似形状に切断する工程を示す断面図、図１０は、マンホール蓋を外し、マンホール枠撤去用の支持手段をセットし、切断路盤をマンホール枠と共に支持手段を介して吊り上げ撤去する工程を示す断面図、図１１（ａ）は、下桝躯体の上縁部上方に離間して養生板（中当て体）を切断後の球面状の壁部中間高さ位置に嵌設し、養生板表面に剥離材を敷設する工程を示す断面図、（ｂ）は、養生板（中当て体）上方空処に舗装材を充填する工程を示す断面図、（ｃ）は、下桝躯体の上方路面（養生板の上方路面）も含めて所定工事範囲の傷んだ表層部分を切削する工程を示す断面図、（ｄ）は、切削後の路面を新舗装材を用いてオーバーレイ補修施工する工程を示す断面図、図１２は、先の基準線よりマンホール中心位置を補修施工したオーバーレイ工事後の路面上に割り出し、球面椀型カッターを用いて養生板（中当て体）の嵌設した位置まで切込みを入れ、且つ中心部に所定径の穴を穿ち、吊りボルトを養生板（中当て体）の雌ネジ部に係合螺合し、養生板ごと切断路盤を引き抜き撤去する工程を示す断面図、図１３（イ）〜（ヘ）は、養生板を形成する中当て体の各種形状を示すそれぞれの斜視図と片半部分断面図、図１４は、未舗装路面の舗装工法において、下桝躯体上縁部の開口を塞ぐように養生板を覆設し、表面に剥離材を施し、表面も含めて舗装を実施する工程を示す断面図、図１５（ａ）は、新舗装路面上に、先の基準線よりマンホール中心位置を割り出し、球面椀型カッターを用いてマンホール枠周囲の路盤を御椀型類似形状に切断し、中心部に所定径の穴を穿つ工程を示す断面図、（ｂ）は、吊りボルトを養生板の雌ネジ部に係合螺合し、養生板ごと切断路盤を引き抜き撤去する工程を示す断面図、図１６は、実施例１における「オーバーレイ工法」の基本工程図（図１のフローチャートに対応）、図１７は、実施例２における「切削オーバーレイ工法」の基本工程図（図２のフローチャートに対応）、図１８は、実施例３における「舗装工法」の基本工程図（図３のフローチャートに対応）、図１９は、アンカーボルトを不要としマンホール枠下面と調整枠の上面との間に支持手段を介挿した場合の状態を示す断面図、図２０は、マンホール蓋を被せその上に剥離材を施しオーバーレイ施工した状態を示す断面図、図２１は、舗装表面よりマンホール枠下面位置外周近くまで球面椀型カッターを用いて御椀型類似形状に路盤を切断し切り込みを入れた状態を示す断面図、図２２は、マンホール蓋及び剥離材の上面表層部分の舗装材をはつり作業にて除去した状態を示す断面図、図２３は、蓋を外して支持手段を更に伸長して楔状先端尖頭部を深く介挿し切断路盤を浮上させた状態を示す断面図、図２４は、支持手段の吊り手掛止部にロープ等を繋いで支持手段ごと切断路盤を吊り上げた状態を示す断面図、図２５（ａ）は、支持手段のセット位置を下桝躯体の上面となる切断下面とした場合の例を示す断面図、（ｂ）は、（ａ）図の状態で切断路盤を吊り上げた様子を示す断面図、図２６は、支持手段の各種形態例を示した側面図、（ａ）はネジ式伸縮支持具の吊り手掛止部が１個の場合の一例、（ｂ）は吊り手掛止部が２個の場合の一例、（ｃ）は両端の鍔部に対向して設けた場合の一例、（ｄ）は支持手段の駆動方式が、電動式、空圧式、または油圧式の場合の一例、図２７は、アンカーボルトを必要とするマンホール枠下面と下桝躯体の間に高さ調整用の調整枠を介挿した場合の一例を示す断面図、図２８は、養生板の吊り上げ用雌ネジ部の穴を遮蔽するためのメクラプラグを螺着した状態を示す一部破断側面図、図２９は、メクラプラグ取り外し用の道具としてのプラグ回し具の一例を示す斜視図、図３０は、アンカーボルトの構成の一例を示す説明図、（ａ）はアンカーボルトの構成要素を示す分解図、（ｂ）は使用状態の一例を示す側面図、図３１は、その他の実施例におけるマンホール枠周囲の充填舗装における補強方法を示す説明図、（ａ）は平面図、（ｂ）はＡ−Ａ断面図である。
【実施例１】
【００３０】
以下、実施例１におけるオーバーレイ工法について、図１、図１６及び関連図面を基に説明する。
【００３１】
実施例１は、マンホール蓋及び枠Ｍｈを含む道路のオーバーレイ工法であって、既存舗装路面を切削せずに表層部を補強補修する工法である。以下工程順に説明する。
【００３２】
＜マーキング工程＞
図４に示す様に、マンホール蓋及び枠Ｍｈの中心位置ａから測定した非施工個所の最寄の場所、例えば縁石等に、予め目印となる基準線Ｂ０及び基準点ｂ、ｃ、ｄを設けて、オーバーレイ工事後、路面下に隠れたマンホール蓋及び枠Ｍｈの中心位置ａを該路面上に特定可能にマーキングしておく工程（Ｓ１０１）であり、即ち基準線Ｂ０を底とする三角形の頂点ａを前記マンホール蓋及び枠Ｍｈの中心に合せてマンホール枠２の中心を位置決めし、前記基準線Ｂ０上に基準点ｂ、ｃ、ｄをマーキングしておくことで、オーバーレイ工事後の路面上に路面下に隠れた状態のマンホール枠２の中心位置ａを該路面上に特定可能とする工程である。
【００３３】
＜支持手段の固設工程＞
図５（ａ）に示す様に、マンホール蓋１を外し、マンホール枠２内側下部に支持手段７を形成するネジ式伸縮支持具の両端に設けられた楔状先端尖頭部７ｄ、７ｄが食い込むように回転ハンドル７ｂを叩くようにして回しセット（固設）する工程（Ｓ１０２）である。
【００３４】
＜オーバーレイ補修舗装工程＞
図５（ｂ）に示す様に、マンホール蓋及び枠Ｍｈを含めた表面を剥離材５で被覆すると共に、剥離材５表面も含めて路面表層部の補強となるオーバーレイ補修舗装工程（Ｓ１０３）である。
【００３５】
＜球面椀型カッターを用いて路盤を御椀型類似形状に切断してマンホール蓋及び枠の上の表層部分をはつり作業を実施し、はつり滓を取り除く工程＞
図６（ａ）、（ｂ）に示す様に、先に目印となる場所にマーキングしておいた基準線Ｂ０及び基準点ｂ、ｃ、ｄからマンホール枠２の中心位置ａをオーバーレイ工事後の路面上に割り出し、この割り出したマンホール蓋及び枠Ｍｈの中心位置ａに球面椀型カッター（図示略）の芯出しジグを設置し、この球面椀型カッターを用いて所定の切断円直径Ｄφでオーバーレイ工事後の表層部分６も含めて平面円形、断面円弧状となる球面状Ｓｃに切込みを入れ、路盤を御椀型類似形状に切断すると共に、マンホール蓋及び枠Ｍｈの上の表層部分６をはつり作業をしてはつり滓を取り除く工程である。
【００３６】
＜旧マンホール枠を切断路盤と共に撤去し、下桝躯体の上縁開口部に落下防止具を仮設し、切断後を清掃する工程＞
路面に現れたマンホール蓋を取外した後、旧マンホール枠を切断路盤と共に、既に設置済みの支持手段７を介して吊り上げ撤去し、下桝躯体３の上縁開口部を塞ぐように落下防止具１１を設置し、切断路盤を取り除いた後の空洞部内を清掃し、清掃終了後、前記落下防止具１１を取外す工程（Ｓ１０４）を含む。
【００３７】
尚上述の工程において、路面下に隠れた状態のマンホール蓋及び枠Ｍｈの中心位置ａを割り出す方法は、基準線Ｂ０の両端ｂ、ｃ点から距離ｌ１と距離ｌ２の交点としてａ点を位置決めしても良く、またｄ点から垂線上の距離ｌ０よりａ点を位置決めしても良い。
【００３８】
＜マンホール枠と下桝躯体とが締結部材で締結されているか否かの確認工程＞
マンホール枠２と下桝躯体３とを分離してマンホール枠２と共に切断路盤を撤去する工程においては、例えばマンホール枠２と下桝躯体３とが締結部材４にて締結されているかどうかを調べ（Ｓ１０５）、締結されていない場合は、マンホール蓋１を外した後、マンホール枠２と共に切断路盤を所定の支持手段７を形成するネジ式伸縮支持具を介して吊り上げ撤去すればよく（Ｓ１０６）、また、締結部材４にて締結されている場合は、マンホール蓋１を外した後、締結部材４を切断機等（図示略）を用いて切り離し（Ｓ１０８）、マンホール枠２と共に切断路盤を前記支持手段７を形成するネジ式伸縮支持具を介して吊り上げ撤去する工程（撤去後は御椀型類似形状の空洞部が生ずる）（図７参照）（Ｓ１０６）。
【００３９】
＜マンホール蓋及び枠の調整設置と周囲空洞部の舗装充填工程＞
最後に図８（ａ）、（ｂ）、（ｃ）に示す様に、下桝躯体３の上縁部３ａ所定位置に係合する高さ調整機能を有するアンカーボルト４を配した、例えば新規のマンホール枠２を設置し、オーバーレイ工事後の表層部分６の路面に合せて高さ調整後（例えば、路面表面に「水糸：みずいと」等をマンホール蓋及び枠の中心を通して十文字に張り、その高さ位置にマンホール蓋及び枠表面が一致するように調整駒４ａを回して微調整して高さを合せる）、マンホール枠２と下桝躯体３の上縁部３ａとの隙間を塞ぐための内型枠８を仮設し、内型枠８の外周隙間部分、周囲の空洞部及び表層部分６を舗装材で舗装施工し、施工終了後、前記内型枠８を撤去して終了する工程（Ｓ１０７）から成ることを特徴とする。
【００４０】
また、上述した支持手段７の詳細は図２６に図示してある。
【００４１】
７ａは吊り上げる際にロープやチェーンを掛けて使用する吊り手掛止部、７ｃは回転ハンドル７ｂの回転操作時に支持手段７を形成するネジ式伸縮支持具の伸縮作用を起こす雄ネジ部である。支持手段７を形成するネジ式伸縮支持具は、図２６（ａ）、（ｂ）に示すように吊り手掛止部７ａが一個の場合と、２個の場合があり、状況によって使い分ければ良い。（ｃ）は両端の鍔部７ｅ、７ｅに夫々対向して２個設けた場合の一例である。（ｄ）は支持手段７の駆動方式が、電動式、空圧式、または油圧式の場合をそれぞれ共通して示した一例であり、７ｆは前記駆動源の接続部である。この支持手段７の基本構造は、ジャッキまたはインパクトレンチ等のメカを応用したものである。
【００４２】
また、この支持手段７はマンホール蓋及び枠Ｍｈの大きさに応じて１セット、２セット或いはそれ以上複数を並設して使用することが出来る。
【００４３】
尚、マンホール蓋及び枠Ｍｈの取替えを伴う場合は、所定工事範囲の道路全面を一挙に舗装施工した後、マンホールの存在する個所のみは、後からマンホール枠を設置するために、全面舗装工事終了後、マンホール枠周囲の路盤を切り取る必要があり、どうしてもマンホール枠周囲の路盤及び表層部分は後施工となり、本実施形態において、この部分の舗装材を表層材と路盤材とに分けた場合、表層材として繊維質含有材料、換言すれば、無収縮モルタル、アスファルト系表層材、エポキシ系表層材等を、また路盤材として自硬性を有する高流動性無収縮材を用いることによって、球面状の切断壁と相俟って地盤沈下や、変形を防止でき、廃棄しなければならない無駄な材料も削減でき、作業の合理化が可能である。
【００４４】
尚また、道路表面を工事範囲全域に亙って一挙に舗装施工する場合の材料については、従来から使用されている加熱合材等がある。
【実施例２】
【００４５】
以下、実施例２における切削オーバーレイ工法について、図２、図１７及び関連図面を基に説明する。
【００４６】
実施例２は、マンホール蓋及び枠Ｍｈを含む道路の切削オーバーレイ工法であって、既存舗装路面の傷んだ表層部を切削した後の路面を補強補修する工法である。
【００４７】
＜マーキング工程＞
ステップＳ２０１は、図４に示す様に、実施例１のステップＳ１０１と同様なので説明を省略する。
【００４８】
＜球面椀型カッターを用いて路盤を御椀型類似形状に切断する工程＞
図９に示す様に、マンホール蓋及び枠Ｍｈの中心位置ａに球面椀型カッター（図示略）の芯出しジグを設置し、この球面椀型カッターを用いて目標とするマンホール枠２に合せて所定の切断円直径でオーバーレイ工事後の表層部分も含めて平面円形、断面円弧状となる球面状Ｓｃに切込みを入れ、路盤を御椀型類似形状に切断する工程（Ｓ２０２）である。
【００４９】
＜マンホール枠と下桝躯体とが締結部材で締結されているか否かの確認工程と、御椀型類似形状の切断路盤を撤去する工程＞
マンホール枠２と下桝躯体３とを分離してマンホール枠２と共に切断路盤を撤去する工程においては、例えばマンホール枠２と下桝躯体３とが締結部材４にて締結されているかどうかを調べ（Ｓ２０３）、締結されていない場合は、マンホール蓋１を外した後マンホール枠２と共に切断路盤を所定の支持手段７を形成するネジ式伸縮支持具を介して吊り上げ撤去すると共に、下桝躯体３の上縁開口部を塞ぐように落下防止具１１を取り付け、切断路盤を取り除いた後を清掃する工程、清掃終了後、前記落下防止具１１を取り外し（Ｓ２０４）、また、締結部材４にて締結されている場合は、マンホール蓋１を外した後、締結部材４を切断機等（図示略）を用いて切り離し（Ｓ２１０）、マンホール枠２と共に切断路盤を所定の支持手段７を形成するネジ式伸縮支持具を介して吊り上げ撤去する工程（図１０参照）である。
【００５０】
＜空洞部の仮舗装工程＞
前述したと同様に、下桝躯体３の上縁開口部を塞ぐように落下防止具１１を取り付け、切断路盤を取り除いた後を清掃した後、前記落下防止具１１を取り外し、次いでステップＳ２０５に進み、図１１（ａ）に示す様に、マンホール枠２と周囲の路盤を撤去した後の御椀型類似形状の空洞部において、下桝躯体３の上方に離間して中心部に吊りボルト用雌ネジ部９ａを有する中当て体９を形成する養生板を切断後の球面状Ｓｃの壁部中間高さ位置且つ表層部分６の深さｄｐ以下となる位置に嵌設して下桝躯体３の上方を塞ぐように覆設し、その上に油紙等の剥離材５′を敷設して上方空処に舗装材を充填する工程（図１１（ｂ）参照）（Ｓ２０５）を行う。
【００５１】
＜表層部分の切削工程＞
図１１（ｃ）に示す様に、下桝躯体３及び中当て体を形成する養生板の上方路面も含めて所定工事範囲の表層部分６を、例えば厚みとなる深さｘ分を切削する工程（Ｓ２０６）を行う。
【００５２】
＜オーバーレイ工程＞
次いで図１１（ｄ）に示すように、新舗装材を用いて切削した表層部分のオーバーレイ舗装施工を実施する工程（Ｓ２０７）を行う。
【００５３】
＜球面椀型カッターによる路面の切削工程＞
先にマーキングしておいた基準線Ｂ０及び基準点ｂ、ｃ、ｄからマンホール枠２の中心位置ａをオーバーレイ工事後の表層部分６の路面上に割り出し（図１２参照）、この割り出した位置ａを中心に前回切断円と略同じ径で埋設状態の中当て体を形成する養生板９の深さｄｐ位置まで平面円形、断面円弧状となる球面状Ｓｃに切込みを入れ、次いで、その点ａを中心とする吊りボルト１０挿入用の所定径の穴を穿ち、吊りボルト１０をこの穴Ｈｃを貫通して中当て体を形成する養生板９の吊りボルト用雌ネジ部９ａに係合螺着して吊り上げ、中当て体を形成する養生板９ごと切断路盤を引き抜き撤去する工程（Ｓ２０８）である。
【００５４】
＜マンホール蓋及び枠の調整設置と周囲空洞部の舗装充填工程＞
次に図８（ａ）、（ｂ）、（ｃ）に示す様に、最後の工程となるステップＳ２０９は実施例１のステップＳ１０７の場合と同様なので説明を省略する。
【実施例３】
【００５５】
実施例３は、マンホール蓋及び枠の設置を伴う道路の舗装工法であって、図３及び図１８を基本工程とし、舗装路面または打換え路面に係る舗装工法である。
【００５６】
＜マーキング工程＞
下桝躯体３の中心位置を測定して位置決めし、最寄の非施工個所にマーキングしておく工程は、実施例１及び２と同様である。
【００５７】
＜下桝躯体の開口部を養生板で塞ぎ道路と共に舗装する工程＞
下桝躯体３の上縁部３ａの開口を塞ぐ様に中心部に吊りボルト用雌ネジ部９ａ′を有する養生板９′を覆設し、この養生板９′の表面に剥離材５″を施し、この表面も含めて所定工事範囲の道路を舗装材を用いて舗装施工する工程（Ｓ３０２）。
【００５８】
＜球面椀型カッターを用いて路盤を御椀型類似形状に切断する工程＞
先に目印となる場所にマーキングした基準線Ｂ０及び基準点ｂ、ｃ、ｄから下桝躯体３の中心位置ａを新設舗装路面上に割り出し、この割り出した位置ａに球面椀型カッター（図示略）の芯出しジグを設置し、所定の切断円直径で表層部分６も含めて平面円形、断面円弧状となる球面状Ｓｃに切込みを入れ、御椀型類似形状の切断路盤とする工程。尚、＜支持手段の固設工程＞と＜マンホール枠と下桝躯体とが締結部材で締結されているか否かの確認工程＞とは、前記実施例１及び２と実質同一であるので、その説明は省略する。
【００５９】
＜御椀型類似形状の切断路盤を撤去する工程＞
次いで、その点ａを中心とする吊りボルト１０挿入用の所定径の穴Ｈｃ′を穿ち、この穴Ｈｃ′を通して養生板９′ごと切断路盤を引き抜き撤去すると共に、落下防止具１１を取り付け、清掃し、終了後取外す工程（Ｓ３０４）。
【００６０】
＜マンホール蓋及び枠の調整設置と周囲空洞部の舗装充填工程＞
下桝躯体３の上縁部３ａ所定位置に係合する高さ調整機能を有するアンカーボルト４を配したマンホール枠２を設置し、舗装表面に合せて調整駒４ａで高さ調整後、マンホール枠２と下桝躯体３の上縁部３ａとの隙間を塞ぐための内型枠８を仮設し、内型枠８の外周隙間部分、周囲の空洞部及び表層部分６を舗装材で舗装施工し、施工終了後、内型枠８を撤去して終了する工程（Ｓ３０５）である。
【００６１】
この舗装工法の基本工程は上記の各工程から成ることを特徴とする。
【００６２】
養生板９′には下桝躯体３の上縁部３ａに当接して覆設した時に位置ずれしないように、下桝躯体３の内周に当接する掛止部９ｂ′が設けてある。
【００６３】
落下防止具１１は、その形状を受け皿の形としてあるが、泥や砂利、石などの落下物を捕獲し易い形状であれば、例えば、袋状、ネット状、格子状、または板状等、下桝躯体３の開口部を塞ぐように覆設でき、落下物を受け止められれば良く、形状、材質等を限定するものではない。但し、作業者に対する安全上の対策としても留意すべき手段であることは勿論である。
【００６４】
養生板９、９′の中心位置に設けられた雌ネジ部９ａ、９ａ′には、使用する前に予め、図２８に示すように、施工時に舗装材やその他の物が詰まったり入り込んだりしないように、穴部分を遮蔽するためのメクラプラグ１３を螺着しておき、切断路盤と共に養生板９、９′を吊り上げる時、穴を穿つので、この穴を通して前記メクラプラグ１３を、例えば図２９に示すようなプラグ回し具Ｐｅを用い、プラグ掛止部１４をメクラプラグ１３の頭部（この場合六角形）に被せるように掛止し、把手（ハンドル）を持って１〜２回まわせば簡単に外すことが出来る。この場合、雄ネジと雌ネジの螺合するネジ山の数は１山乃至２山掛かっていれば十分であり、作業性に影響するものではない。また柄１５の長さは工事現場の状況に合せて決めれば良く、長さを調節できる伸縮式とすることも出来る。また、プラグの頭部の形状は、六角でも四角でも被せ易く掛止して回せれば良く、また柄の途中または柄とプラグ掛止部の接続を固定せずユニバーサルジョイントとしても良い。更にメクラプラグの頭部は一般のボルトの頭部を削って偏平に加工すればよく、掛止部の厚みは数ミリあれば、十分であり、養生板の上に油紙等の剥離材を敷設しても左程出っ張らないので、作業上問題とはならない。
［その他の実施例１］
【００６５】
前述の実施例１のオーバーレイ工法、または実施例２の切削オーバーレイ工法の場合、図１９〜図２４に示すように、締結部材となるアンカーボルト４を不要とするマンホール蓋及び枠Ｍｈの更新または修復等を含む道路の補修工事において、球面椀型カッターを用い、表層部分も含めて平面円形、断面円弧状となる球面状Ｓｃ′に切込みを入れ、路盤を御椀型類似形状に切断し、撤去する際、マンホール枠２の高さを調整する調整枠１２の上面と接する接続部分となる前記マンホール枠２の下面外周位置まで切込みを入れ（図２１参照）、吊り上げのための支持手段７を形成するネジ式伸縮支持具の楔状先端尖頭部７ｄを前記マンホール枠２の下面と前記調整枠１２の上面との間に介挿して切断路盤を浮上させ切り離して前記支持手段７を介して撤去する工程とし、前記実施例１のオーバーレイ工法、または前記実施例２の切削オーバーレイ工法の内の路盤切断工程に代えて上記工程に置換したことを特徴とする。
【００６６】
図２７は、二種類の高さｈ１、ｈ２の２個の調整枠１２を使用した場合の一例であり、アンカーボルト４を一般の調整枠の予め穿設された貫通穴（アンカーボルト孔）に合せてセットすればよく、調整枠１２の種類としては、例えば、高さ（厚み）ｈ１、ｈ２…が５０、１００、１５０ｍｍの種類が用意されており、これらを状況に合せ、組合せてマンホール蓋及び枠Ｍｈを該当する路面の高さに調整する。この時、路面と下桝躯体３の上縁部３ａとは必ずしも平行ではない場合があり、また調整の最終段階として、路面に合せてマンホール蓋及び枠Ｍｈの高さ位置決め微調整を調整駒４ａを左右に回し、上下動させて行う。
【００６７】
尚、切断路盤をマンホール枠と共に吊り上げる為の支持手段のセットする位置は、工事現場の状況により、多様であり、図２５（ａ）、（ｂ）に図示したように、切断路盤の切れ目となる御椀型類似形状の底面に当接して抱えるように、下桝躯体３の上縁部３ａから切り離して吊り上げる場合が多く、調整枠１２がある場合は、調整枠１２の下面と下桝躯体３の上縁部３ａの間に支持手段７の楔状先端尖頭部７ｄを介挿して使用することとなる。更に調整枠１２が深い場合は、調整枠１２の中間に支持手段７の楔状先端尖頭部７ｄを介挿して使用する場合も発生する。本発明に係る工法は、上述のように全ての状況に対応出来る工法である。
【００６８】
本発明に係る工法において、強調すべき特徴は、切断後の路盤が御椀型類似形状を呈し、平面円形、断面円弧状の摩擦係数の大なる球面状の切断面を形成することである。即ち、球面椀型カッターによる切削線が道路表面よりマンホール枠又はこの枠を支持する調整枠の外周近くまで至る平面円形、断面円弧状となる切断面を形成し、廃棄する材料の削減、使用材料の節減、作業能率、更に対騒音に対する静粛性及び安全性の点で優れ、且つ経済性においても優れた工法である。
【００６９】
本実施形態に用いる球面椀型カッターとしては、特許第３３７１２５４号「路面用カッター」が最も好適な手段である（特開２００１−２９５２１６号公報）。
【００７０】
実施例２における「切削オーバーレイ工法」で用いる養生板９を形成する中当て体は、図１３（イ）〜（ヘ）に示すように、種々の形状が考えられる。
【００７１】
（イ）は、円形の養生板９の周囲に複数の湾曲した掛止部９ｂを設けた例であり、湾曲した掛止部９ｂが球面状Ｓｃに切断した壁面に当接して所定の高さ位置を保持可能な構成としてある。
【００７２】
（ロ）は、円形の養生板９の周囲に複数の直線からなる脚状の掛止部９ｂを設けた例であり球面状Ｓｃに切断した壁面に食い込むようにして所定の高さ位置を保持可能な構成としてある。
【００７３】
（ハ）は、円形の養生板９の下部に脚部９ｄを介して下桝躯体３の上縁部３ａに当接する板部材９ｃからなり、下桝躯体３の上縁部３ａに載置されて所定の高さ位置を保持する構成としてある。
【００７４】
（ニ）は、円形の養生板９の周囲全縁に湾曲状の縁取り９ｂを形成した構成とし、縁取り９ｂが球面状Ｓｃに切断した壁面に当接して所定の高さ位置を保持可能な構成としてある。
【００７５】
（ホ）は、円形の養生板９を天板とし、この天板と湾曲面の底部とを一体化して、全体を中空の御椀型形状とし、切断した壁面に当接して所定の高さ位置を保持可能な構成としてある。
【００７６】
（ヘ）は、単一の円形状養生板９からなり、その縁部全周が切断した壁面に当接して所定の高さ位置を保持可能な構成としてある。
【００７７】
尚、養生板９を形成する中当て体の形状を円形を基本形として説明したが、六角形、八角形等の多角形を基本形として形状を展開しても良い。
【００７８】
また、実施例２及び３におけるオーバーレイ工事後の路面上に、基準線Ｂ０及び基準点ｂ、ｃ、ｄからマンホール蓋及び枠Ｍｈの中心位置ａを割り出す方法は、実施例１で述べた方法と同様であるので実施例１の場合に準ずることとして省略してある。
【００７９】
また、養生板（中当て体）９の中心部に雌ネジ部を設け、吊りボルトを係合螺着して吊り上げる機構のみ説明したが、雌ネジ部を単なる穴形状とし、フック機能を備えた吊り手を掛止して吊り上げても良く、吊り上げ機構及び方法を限定するものではない。
【００８０】
尚、特許第３２６３３５５号公報に拡張アンカーが開示されているが、仮蓋下面に引っ掛けるための拡張部材が偏心構造となることで、吊り上げる際の荷重分布が不均等となり、且つ仮蓋に固定されていないので不安定であり、作業性において問題がある。これに対し、本発明に係る養生板の吊り上げは、ネジ構造により係合螺着して固定する構成となっているので、吊り上げ操作が安定し、且つ作業性において信頼度が高く、安全に工程を進めることが出来る。
【００８１】
本実施形態で用いた支持手段７としてのネジ式伸縮支持具には、前述したように図２６に幾つかの例を示しているが、両端の楔状先端尖頭部７ｄの付け根に鍔部７ｅを対向して設け（図２６（ｂ）参照）、環状の吊り手掛止部７ａを中心を挟んで図示するように２個設けるか、またはこの両側の鍔部７ｅ、７ｅに前記吊り手掛止部７ａを夫々設けて対向させ、二個所で吊り上げる構成とし、更に鍔部７ｅの根元までマンホール枠２の内側下部に差し込むようにすることで、鍔部が両側に突っ張るようにしてマンホール枠２の内壁に当接し、ネジ式伸縮支持具とマンホール枠２が確固に固定されて、安定した状態で吊り上げ撤去作業を行うことが出来る。また、前述したように、支持手段７としてのネジ式伸縮支持具を２セット以上並設することで、楽に切断路盤を浮上させ切り離して吊り上げることが出来る。
【００８２】
また、路盤の切断工程において、球面椀型カッターの刃先が所定の位置まで十分に届ききらず、例えば、下桝躯体の周辺部分の切断面が剥ぎ取られたように荒れた場合は、剥離材として砂等を荒れた切断面に敷設することで、後工程での切断路盤の撤去時に効果があり、状況に応じて油紙と併用しても良い。また剥離材としては、所謂「離型材」として知られるワックスやシリコーン、或いは軽油等の油脂類が挙げられるが、現場の状況や条件によって選択して決めれば良い。適当な薬品等があれば、それらを用いても良く、剥離材を油紙、砂及び上記の離型材等に限定するものではない。
【００８３】
尚、剥離材を使用せず、廃棄用の鉄蓋を在庫保管しておいて、必要に応じて利用してもよく、また、仮蓋を別に用意しておいて、架け替える方法としてもよい。
［その他の実施例２］
【００８４】
切削オーバーレイ工法において、請求項３に示したように、中当て体を形成する養生板を使用せずに下桝躯体の上縁部に直に養生板を覆設する場合の切削オーバーレイ工法の各工程であって、１）マンホール蓋及び枠Ｍｈの中心位置ａから測定した非施工個所の最寄の場所に、予め目印となる基準線及び基準点を設けて、オーバーレイ工事後、路面下に隠れたマンホール蓋及び枠Ｍｈの中心位置ａを該路面上に特定可能にマーキングしておく工程、２）マンホール蓋及び枠Ｍｈの中心位置ａに球面椀型カッターの芯出しジグを設置し、この球面椀型カッターを用いて所定の切断円直径でオーバーレイ工事後の表層部分も含めて平面円形、断面円弧状となる球面状に切込みを入れ、路盤を御椀型類似形状に切断する工程、３）マンホール蓋１を外し、マンホール枠２内側下部に吊り上げのための支持手段７をセットし、マンホール枠２と下桝躯体３とを分離してマンホール枠２と共に切断路盤を前記支持手段７を介して吊り上げ撤去する工程（以上図９及び図１０参照）からなり、更に以下、図１４、図１５（ａ）、（ｂ）及び図８（ａ）、（ｂ）、（ｃ）に示すように、４）下桝躯体３上縁部３ａの開口を塞ぐ様に中心部に吊りボルト用雌ネジ部９ａ′を有する養生板９′を覆設し、この養生板９′の表面に剥離材５′を施し、前記養生板９′の上面空処に舗装材を充填する工程、５）次いで、下桝躯体３の上方路面も含めて所定工事範囲の表層部分６を切削する工程、６）切削した後の路面を新舗装材を用いてオーバーレイ補修施工を実施する工程、７）先に目印となる場所にマーキングしておいた基準線及び基準点からマンホール枠２の中心位置ａをオーバーレイ工事後の路面上に割り出し、この割り出した位置を中心に前回切断円と略同じ径で養生板９′外周深さ位置まで平面円形、断面円弧状となる球面状に切込みを入れ、且つその点を中心として吊りボルト挿入用の所定径の穴Ｈｃ′を穿ち、吊りボルト１０を穴Ｈｃ′の内部に挿入して養生板９′の吊りボルト用雌ネジ部９ａ′に係合螺着して吊り上げ、前記養生板９′ごと切断路盤を引き抜き撤去する工程、８）下桝躯体３の上縁部３ａ所定位置に係合する高さ調整機能を有するアンカーボルトを配したマンホール枠２を設置し、オーバーレイ工事後の路面に合せて高さ調整後、マンホール枠２と下桝躯体３の上縁部３ａとの隙間を塞ぐための内型枠８を仮設し、内型枠８の外周隙間部分、周囲の空洞部及び表層部分６を舗装材で舗装施工し、施工終了後、前記内型枠を撤去して終了する工程から成ることを特徴とする切削オーバーレイ工法とすることも出来る。
【００８５】
図３０は、アンカーボルトの構成の一例を示す説明図であり、（ａ）はアンカーボルトの構成要素を示す分解図、（ｂ）は使用状態の一例を示す側面図である。
【００８６】
図３０（ａ）において、アンカーボルト４は筒状体の内面に雌ネジを螺刻し、筒状体の下方は外周に凹凸形状の食い込み部４１を形成すると共に、筒状体の軸心に沿って縦方向に複数の切欠き部４１ａ、４１ａ、…を有し、テーパー部材４２が打ち込まれることで、アンカーボルト４の下方が拡径するように構成されている。ネジ棒４ｂは頭部が平行な面で形成されたスパナ掛け部４ｂ−１を形成し、アンカーボルト４の雌ネジ部に螺合して接続でき、ネジ棒４ｂには螺合して回動上下可能に調整駒４ａが組み込まれ、上方にナット部４ｃがワッシャＷ１を介して螺合緊締可能である。
【００８７】
図３０（ｂ）は、使用状態の一例を示す側面図であり、先ず下桝躯体３の上縁部３ａの所定位置に穿孔機で所定径のアンカー穴３１、３１…を開け、この穴径に係合するアンカーボルト４（この場合、所謂「グリップアンカー」）を挿入し、その頭部４ｕを直接または中間打設棒（図示略）を介して上からハンマー等で打撃を加えることで、テーパー部材４２がアンカー穴３１の底部３１ａに当接し、図中矢印Ｙ１の方向に反発する力が生じ、この反発力により、前記テーパー部材４２がアンカーボルト４の下方に楔のように作用し、図示するように外周面が凹凸形状の食い込み部４１が外方に広がって拡径状態を呈し、例えばコンクリート製の下桝躯体３のアンカー穴３１の側面に食い込み固定される。
【００８８】
このアンカーボルト４にネジ棒４ｂをスパナ等の道具（図示略）をスパナ掛け部４ｂ−１にあてがって螺合せしめ、調整枠１２を通し、ワッシャＷ３に次いで高さ調整用の調整駒４ａを螺合し、その上にマンホール枠２を重ねその上下にワッシャＷ２、Ｗ１を介在させ、最後に緊締用のナット部４ｃを螺合して固定する。
【００８９】
尚また、本発明に係る工法では、前述したように、球面椀型カッター即ち特許第３３７１２５４号の「路面用カッター」を用いることで、イ）切断作業の精度が高く、従って切断範囲を最小限に抑えることが出来、ロ）切断面が球面状のため上方からの圧力に対する摩擦抵抗が強く変形及び沈下を回避出来、更にハ）切断時間及び付帯作業時間を短縮できるため、所定工事範囲にマンホール蓋及び枠の設置または再設置工事が複数含まれても、例えば「切削オーバーレイ工法」の場合、１）マーキング作業、２）切断作業、３）切断路盤の撤去作業、４）養生板取り付け作業及び剥離材の敷設作業、５）養生板上部空処の充填作業、６）道路表層部分全面の切削工事、７）新舗装材による道路全面の舗装工事、８）養生板深さ位置までの切込み作業、９）養生板ごと切断路盤の撤去作業、１０）御椀型類似形状の空洞部（凹処、空処）にマンホール蓋及び枠を設置し、高さ調整後空処を舗装剤で充填し、仕上げ作業を行う一連の工程において、複数のマンホールに対応して工程別に、即ち、１）の工程をマンホールの個数分連続して行い、次に２）の工程を、次に３）の工程を、順次４）、５）の工程を同様にして続けて行い、そして６）の道路表層部分の全面切削工程に次いで新舗装材による道路全面の舗装工事を実施し、そして８）〜１０）の工程を先の１）〜５）までの工程と同様に横並びに連続して実施し、全体の工事の効率化を図ることが出来る。
【００９０】
本工法では、養生板の構成、養生板の吊り上げ機構及び方法、養生板を含む切断路盤の撤去方法、及び切断形状及び方法等は実施可能な方法であれば対応出来、方法の如何は問わない。
【００９１】
尚、オーバーレイ工法、切削オーバーレイ工法及び舗装工法の３つの工法において、共通する工程として、１）請求項５、６及び７に示すように、切断路盤を撤去する工程に次いで、下桝躯体上縁開口部を塞ぐように落下防止具を仮設し、切断路盤を取り除いた後を清掃する工程、２）請求項８、９及び１０に示すように、球面椀型カッターを用いて所定の切断円直径で表層部分も含めて平面円形、断面円弧状となる球面状に切込みを入れ、路盤を御椀型類似形状に切断する工程において、前記球面椀型カッターの刃先が所定の深さ位置まで達しなかった場合、球面状切断壁の最下端部より所定深さに位置する下桝躯体上縁部外周位置まで、はつり作業にて切削する切断工程、３）請求項１１、１２及び１３示すように、下桝躯体の上縁部所定位置に係合する高さ調整機能を有するアンカーボルトを配したマンホール枠を設置し、舗装表面に合せて高さ調整する際に、予め成形された所定寸法の環状を呈する調整枠を１乃至２以上複数個重ねて高さ調整を行う工程、の３つの工程は、環境条件及び工事の状況等に応じて、基本工程に対し選択的に採否を決めることが出来る。
【００９２】
各工法において、更に詳細に説明するとすれば、１）マンホール蓋及び枠を取替える際に、周囲の路面、道路のひび割れ等の影響を受けそうな場合は、舗装材を舗装充填する前に、マンホール蓋及び枠の高さ調整部及び周囲の所要部位にメッシュネットまたはメッシュシート等の補強配筋材Ｎを芯材として敷設しておく方法もある（図３１中の符号Ｎ）。また、２）舗装材等の充填部に土（路床）が露出した場合は、調整材、充填材を施す前に、土の部分を転圧するか、更に軟弱地盤の場合は、砕石等を敷き詰めてから転圧作業をして後、調整材等の充填を行うようにする（図示略）。また、図３１（ａ）、（ｂ）に示すように、３）工事現場の環境条件によっては、切断路盤を吊り上げ引き抜いた後の下桝駆体３の外周縁部に沿って環状堀足し部Ｓ２及び数箇所（図面では４箇所）の凹部となる突起状充填部Ｓ３を球面切断壁Ｓ１の下方に掘削し、舗装材を充填した時に舗装材充填部分が突起物が付いた御椀型類似形状となり、舗装材の充填補強用の脚部を構成し、一種の楔効果を呈して周囲の路盤及び下桝躯体３に対してずれないように追加施工する場合もある。尚、環状堀足し部Ｓ２は省略する場合もある。
【産業上の利用可能性】
【００９３】
オーバーレイ工法、切削オーバーレイ工法及び舗装工法等の道路工事において、マンホール蓋及び枠等の交換または更新工事に際しての路面切断作業、新規の道路舗装工事に際してのマンホール蓋及び枠の新設工事の際の路面切断作業を含む工事全般において、広範囲に利用可能である。
【図面の簡単な説明】
【００９４】
【図１】実施例１における請求項１に相当するオーバーレイ工法の基本工程を示すフローチャート
【図２】実施例２における請求項２に相当する切削オーバーレイ工法の基本工程を示すフローチャート
【図３】実施例３における請求項４に相当する舗装工法の基本工程を示すフローチャート
【図４】マンホール枠の中心位置を特定する為のマーキング工程を示す平面図
【図５】（ａ）マンホール枠撤去用の支持手段をセットする工程を示す断面図、（ｂ）マンホール蓋及び枠の表面に剥離材を被覆し、その表面も含めた表層部分の補強、補修工程を示す断面図
【図６】マンホール蓋及び枠周囲の路盤を球面椀型カッターを用いて平面円形、断面円弧状の御椀型類似形状に切断する工程を示す図、（ａ）断面図、（ｂ）切断路盤の御椀型類似形状を示す斜視図
【図７】マンホール枠と共に切断路盤を支持手段を介して吊り上げ撤去する工程を示す断面図
【図８】下桝躯体上縁部に高さ調整機能を有するアンカーボルトを配したマンホール枠と内型枠を設置し、隙間、空洞部に路盤材を充填し、表層部分に表層材を施工する工程を示す断面図、（ａ）マンホール蓋を外し、マンホール枠と内型枠を設置した状態、（ｂ）内型枠外周部の隙間及び空洞部に路盤材を充填し、表層部分に表層材を施工した状態、（ｃ）施工後の養生期間経過後内型枠を取り外し完工した状態
【図９】既存道路において、マンホール蓋及び枠周囲の路盤を球面椀型カッターを用いて平面円形、断面円弧状の御椀型類似形状に切断する工程を示す断面図
【図１０】マンホール蓋を外し、マンホール枠撤去用の支持手段をセットし、切断路盤をマンホール枠と共に支持手段を介して吊り上げ撤去する工程を示す断面図
【図１１】（ａ）下桝躯体の上縁部上方に離間して養生板（中当て体）を切断後の球面状の壁部中間高さ位置に嵌設し、養生板表面に剥離材を敷設する工程を示す断面図、（ｂ）養生板（中当て体）上方空処に舗装材を充填する工程を示す断面図、（ｃ）下桝躯体の上方路面（養生板の上方路面）も含めて所定工事範囲の傷んだ表層部分を切削する工程を示す断面図、（ｄ）切削後の路面を新舗装材を用いてオーバーレイ補修施工する工程を示す断面図
【図１２】先の基準線よりマンホール中心位置をオーバーレイ工事後の路面上に割り出し、球面椀型カッターを用いて養生板（中当て体）の嵌設した位置まで切込みを入れ、且つ中心部に所定径の穴を穿ち、吊りボルトを養生板（中当て体）の雌ネジ部に係合螺合し、養生板ごと切断路盤を引き抜き撤去する工程を示す断面図
【図１３】（イ）〜（ヘ）養生板を形成する中当て体の各種形状を示すそれぞれの斜視図と片半部分断面図
【図１４】未舗装路面の舗装工法において、下桝躯体上縁部の開口を塞ぐように養生板を覆設し、表面に剥離材を施し、表面も含めて舗装を実施する工程を示す断面図
【図１５】（ａ）新舗装路面上に、先の基準線より下桝躯体の中心位置を割り出し、球面椀型カッターを用いて下桝躯体周囲の路盤を御椀型類似形状に切断し、中心部に所定径の穴を穿つ工程を示す断面図、（ｂ）吊りボルトを養生板の雌ネジ部に係合螺合し、養生板ごと切断路盤を引き抜き撤去する工程を示す断面図
【図１６】実施例１における「オーバーレイ工法」の基本工程図（図１のフローチャートに対応）
【図１７】実施例２における「切削オーバーレイ工法」の基本工程図（図２のフローチャートに対応）
【図１８】実施例３における「舗装工法」の基本工程図（図３のフローチャートに対応）
【図１９】アンカーボルトを不要としマンホール枠下面と調整枠の上面との間に支持手段を介挿した場合の状態を示す断面図
【図２０】マンホール蓋を被せその上に剥離材を施しオーバーレイ施工した状態を示す断面図
【図２１】舗装表面よりマンホール枠下面位置外周近くまで球面椀型カッターを用いて御椀型類似形状に路盤を切断し切り込みを入れた状態を示す断面図
【図２２】マンホール蓋及び剥離材の上面表層部分の舗装材をはつり作業にて除去した状態を示す断面図
【図２３】蓋を外して支持手段を更に伸長して楔状先端尖頭部を深く介挿し切断路盤を浮上させた状態を示す断面図
【図２４】支持手段の吊り手掛止部にロープ等を繋いで支持手段ごと切断路盤を吊り上げた状態を示す断面図
【図２５】（ａ）支持手段のセット位置を下桝躯体の上面となる切断下面とした場合の例を示す断面図、（ｂ）は、（ａ）図の状態で切断路盤を吊り上げた様子を示す断面図
【図２６】支持手段の各種形態例を示した側面図、（ａ）はネジ式伸縮支持具の吊り手掛止部が１個の場合の一例、（ｂ）は吊り手掛止部が２個の場合の一例、（ｃ）は両端の鍔部に対向して設けた場合の一例、（ｄ）は支持手段の駆動方式が、電動式、空圧式、または油圧式の場合の一例
【図２７】アンカーボルトを必要とするマンホール枠下面と下桝躯体の間に高さ調整用の調整枠を介挿した場合の一例を示す断面図
【図２８】養生板の吊り上げ用雌ネジ部の穴を遮蔽するためのメクラプラグを螺着した状態を示す一部破断側面図
【図２９】メクラプラグ取り外し用の専用具としてのプラグ回し具の一例を示す斜視図
【図３０】アンカーボルトの構成の一例を示す説明図、（ａ）アンカーボルトの構成要素を示す分解図、（ｂ）使用状態の一例を示す側面図
【図３１】その他の実施例におけるマンホール枠周囲の充填舗装における補強方法を示す説明図、（ａ）平面図、（ｂ）Ａ−Ａ断面図
【符号の説明】
【００９５】
１  マンホール蓋
２  マンホール枠
３  下桝躯体
３ａ  上縁部
３１  アンカー穴
３１ａ  底部
４  アンカーボルト
４ａ  調整駒
４ｂ  ネジ棒
４ｂ−１  スパナ掛け部
４ｕ  頭部
４ｃ  ナット部
４１  食い込み部
４１ａ  切欠き部
４２  テーパー部材
５、５′、５″  剥離材
６  表層部分
７  支持手段（ネジ式伸縮支持具、電動式、空圧式、油圧式）
７ａ  吊り手掛止部
７ｂ  回転ハンドル
７ｃ  雄ネジ部
７ｄ  楔状先端尖頭部
７ｅ  鍔部
７ｆ  駆動源接続部
８  内型枠
９、９′  養生板（中当て体）
９ａ、９ａ′  雌ネジ部
９ｂ、９ｂ′  掛止部
１０  吊りボルト
１１  落下防止具
１２  調整枠
１３  メクラプラグ
１４  プラグ掛止部
１５  柄
１６  把手（ハンドル）
Ｐｅ  プラグ回し具
Ｂ０  基準線
ａ  中心位置（割り出した位置）
ｇ  ギャップ（隙間）
Ｍｈ  マンホール蓋及び枠
Ｈｃ、Ｈｃ′  穴
Ｎ  補強配筋材（メッシュシート、メッシュネット）
Ｓ１  球面切断壁
Ｓ２  環状堀足し部
Ｓ３  突起状充填部
Ｓｃ、Ｓｃ′  球面状
Ｗ１、Ｗ２、Ｗ３  ワッシャ
【図１】
0003644949.tif 000002
【図２】
0003644949.tif 000003
【図３】
0003644949.tif 000004
【図４】
0003644949.tif 000005
【図５】
0003644949.tif 000006
【図６】
0003644949.tif 000007
【図７】
0003644949.tif 000008
【図８】
0003644949.tif 000009
【図９】
0003644949.tif 000010
【図１０】
0003644949.tif 000011
【図１１】
0003644949.tif 000012
【図１２】
0003644949.tif 000013
【図１３】
0003644949.tif 000014
【図１４】
0003644949.tif 000015
【図１５】
0003644949.tif 000016
【図１６】
0003644949.tif 000017
【図１７】
0003644949.tif 000018
【図１８】
0003644949.tif 000019
【図１９】
0003644949.tif 000020
【図２０】
0003644949.tif 000021
【図２１】
0003644949.tif 000022
【図２２】
0003644949.tif 000023
【図２３】
0003644949.tif 000024
【図２４】
0003644949.tif 000025
【図２５】
0003644949.tif 000026
【図２６】
0003644949.tif 000027
【図２７】
0003644949.tif 000028
【図２８】
0003644949.tif 000029
【図２９】
0003644949.tif 000030
【図３０】
0003644949.tif 000031
【図３１】
0003644949.tif 000032